(57)【要約】【課題】配線用遮断器のモジュール化端子において、多様な端子の組み合わせが容易であり、その構成と組立が簡便な配線用遮断器（１）のモジュール化端子を提供する。【解決手段】本発明による配線用遮断器のモジュール化端子は、極別に備えられる複数の端子ベース（４，５，６）と、それぞれの前記端子ベースに着脱可能に支持される端子（４０，５０，６０）と、端子モジュールを形成するために隣接した一対の前記端子ベースを結束するジョイント片（７）とから構成される。【選択図】図１
2008258132.tif 000002
【特許請求の範囲】
【請求項１】
極別に備えられる複数の端子ベースと、
それぞれの前記端子ベースに着脱可能に支持される端子と、
端子モジュールを形成するために、隣接した一対の前記端子ベースを結束するジョイント片と
を含むことを特徴とする配線用遮断器のモジュール化端子。
【請求項２】
前記端子ベースは、前記ジョイント片の結束のためのジョイント片挿入スロット部を含むことを特徴とする請求項１に記載の配線用遮断器のモジュール化端子。
【請求項３】
前記端子ベースは、前記ジョイント片挿入スロット部に隣接して排気口を提供すると同時に、前記ジョイント片の挿入を許容するための管型通路部を含むことを特徴とする請求項２に記載の配線用遮断器のモジュール化端子。
【請求項４】
前記端子ベースは、前記ジョイント片の結束のためのジョイント片挿入スロット部を含み、
前記ジョイント片は、前記ジョイント片挿入スロット部に接続するためのチャネル部を含むことを特徴とする請求項１に記載の配線用遮断器のモジュール化端子。
【請求項５】
前記ジョイント片は、前記隣接した一対の端子ベースの結束を維持するための弾性力を有するように、１つの円弧溝壁と、前記円弧溝壁の入口側に延設される一対のチャネル溝壁とを含むことを特徴とする請求項１に記載の配線用遮断器のモジュール化端子。
【請求項６】
前記ジョイント片は、
前記隣接した一対の端子ベースの結束を維持するための弾性力を有するように、１つの円弧溝壁と、前記円弧溝壁の入口側に延設される一対のチャネル溝壁とを備える胴部と、
前記胴部の両側上部及び下部に備えられ、前記隣接した一対の端子ベースを結束するためのチャネル部とから構成されることを特徴とする請求項１に記載の配線用遮断器のモジュール化端子。
【請求項７】
極別に備えられる複数の端子ベースと、
それぞれの前記端子ベースに着脱可能に支持される端子と、
端子モジュールを形成するために隣接した一対の前記端子ベースを結束し、端子モジュールを構成するように前記端子を装着した複数の端子ベースを結束するジョイント片と、
前記ジョイント片により前記端子モジュールと結束されるケースと
を含むことを特徴とするモジュール化端子を有する配線用遮断器。
【請求項８】
前記端子ベースは、前記ジョイント片の結束のためのジョイント片挿入スロット部を含むことを特徴とする請求項７に記載のモジュール化端子を有する配線用遮断器。
【請求項９】
前記端子ベースは、前記ジョイント片挿入スロット部に隣接して排気口を提供すると同時に、前記ジョイント片の挿入を許容するための管型通路部を含むことを特徴とする請求項８に記載のモジュール化端子を有する配線用遮断器。
【請求項１０】
前記端子ベースは、前記ジョイント片の結束のためのジョイント片挿入スロット部を含み、
前記ジョイント片は、前記ジョイント片挿入スロット部に接続するためのチャネル部を含むことを特徴とする請求項７に記載のモジュール化端子を有する配線用遮断器。
【請求項１１】
前記ジョイント片は、前記隣接した一対の端子ベースの結束を維持するための弾性力を有するように、１つの円弧溝壁と、前記円弧溝壁の入口側に延設される一対のチャネル溝壁とを含むことを特徴とする請求項７に記載のモジュール化端子を有する配線用遮断器。
【請求項１２】
前記ジョイント片は、
前記隣接した一対の端子ベースの結束を維持するための弾性力を有するように、１つの円弧溝壁と、前記円弧溝壁の入口側に延設される一対のチャネル溝壁とを備える胴部と、
前記胴部の両側上部及び下部に備えられ、前記隣接した一対の端子ベースを結束するためのチャネル部とから構成されることを特徴とする請求項７に記載のモジュール化端子を有する配線用遮断器。
【請求項１３】
前記ケースは、
前記ジョイント片との結束を維持するための弾性力を有するように、１つの円弧溝壁と、前記円弧溝壁の入口側に延設される一対のチャネル溝壁とを含むことを特徴とする請求項７に記載のモジュール化端子を有する配線用遮断器。
【請求項１４】
前記ケースは、極別端子間の電気的絶縁のために備えられる絶縁隔壁を含み、
前記絶縁隔壁は、前記ジョイント片が結束されるレール部が備えられたジョイント片挿入スロット部を含むことを特徴とする請求項７に記載のモジュール化端子を有する配線用遮断器。
【発明の詳細な説明】
【技術分野】
【０００１】
本発明は、配線用遮断器に関し、特に、配線用遮断器の端子部をモジュール式組立構造で実現することにより、標準型端子、プラグイン型端子、ボックス型端子などの多様なタイプの端子をモジュール式で交換又は設置できるようにする配線用遮断器のモジュール化端子及びこれを装着した配線用遮断器に関する。
【背景技術】
【０００２】
ここで、前記端子とは、配線用遮断器の固定接触子に連結された端子部と接続されることにより、外部の電源側又は負荷側電線との接続を容易にする外部電線接続用の別途の端子機構を意味する。
【０００３】
一般に、配線用遮断器は、電源側と負荷側の電線をそれぞれの電源側及び負荷側端子に接続するための端子部を有する。
【０００４】
従来の配線用遮断器は、端子部が着脱式でなく固定式であったため、配線用遮断器を製造するとき、端子部がケースに一括して組み立てられ、端子部のみを分離して交換することは不可能であった。従来の配線用遮断器は、端子部のみのタイプ切替が不可能な構造であった。
【０００５】
従って、電源側と負荷側の線路環境によって、端子部を標準型、プラグイン型、ボックス型のいずれかのタイプから他のタイプに変更しようとする場合、このような従来の配線用遮断器は、端子部のみをタイプ別に使用者に提供できる構造ではないため、所望の端子タイプを有する配線用遮断器にその配線用遮断器自体を交換しなければならないという不便があった。
【０００６】
従って、このような不便を解消するために、配線用遮断器の端子部に端子タイプに対して共通に適用できるフラットフォームを形成し、前記共通フラットフォームに対応する共通対応接続構造を有するそれぞれのタイプ別端子部の組立体を提示する従来技術が提案された。
【０００７】
しかしながら、このような従来の提案技術も、配線用遮断器の製造時又は配線用遮断器の設置施工時に、タイプ別端子部の組立体を配線用遮断器の相別に、すなわち、Ｒ、Ｓ、Ｔの交流３相（３極ともいう）又はＲ、Ｓ、Ｔ、Ｎの交流４相（４極ともいう）別にそれぞれのタイプ別端子部の組立体を１つずつ組み立てなければならないという煩わしさがある。
【０００８】
また、縦横のサイズが数センチメートル、例えば、１〜３センチメートル程度に過ぎないそれぞれのタイプ別端子部組立体を配線用遮断器のメーカ側で別途の製品として在庫管理することも困難であり、使用者又は設置施工者に提供することも困難であるという問題がある。
【発明の開示】
【発明が解決しようとする課題】
【０００９】
従って、本発明は、前述したような従来技術の問題を解消するためのものであり、本発明の目的は、複数の端子組立体をモジュール化して端子モジュールを容易に配線用遮断器に組み立てることができるため、端子部の設置及び交換作業が簡便かつ迅速になる配線用遮断器のモジュール化端子及びこれを装着した配線用遮断器を提供することにある。
【００１０】
また、本発明の他の目的は、１つの端子モジュールに多様なタイプの端子を組み合わせて構成できる配線用遮断器のモジュール化端子及びこれを装着した配線用遮断器を提供することにある。
【課題を解決するための手段】
【００１１】
このような目的を達成するために、本発明による配線用遮断器のモジュール化端子は、極別に備えられる複数の端子ベースと、それぞれの前記端子ベースに着脱可能に支持される端子と、端子モジュールを形成するために、隣接した一対の前記端子ベースを結束するジョイント片とを含む。
【００１２】
また、本発明による配線用遮断器は、極別に備えられる複数の端子ベースと、それぞれの前記端子ベースに着脱可能に支持される端子と、端子モジュールを形成するために隣接した一対の前記端子ベースを結束し、端子モジュールを構成するように前記端子を装着した複数の端子ベースを結束するジョイント片と、前記ジョイント片により前記端子モジュールと結束されるケースとを含む。
【００１３】
前記本発明の目的並びにこれを達成する本発明の構成及びその作用効果は、添付図面を参照した本発明の好ましい実施形態について後述する以下の説明に基づいて明確に理解できるであろう。
【発明の効果】
【００１４】
本発明による配線用遮断器のモジュール化端子及びこれを装着した配線用遮断器を提供することにより、複数の端子組立体をモジュール化して端子モジュールを容易に配線用遮断器に組み立てることができ、端子部の設置及び交換作業が簡便かつ迅速になるという効果が得られる。
【００１５】
また、本発明による配線用遮断器のモジュール化端子は、モジュール化しているため、紛失の恐れが少なくなるので、メーカにとっても在庫管理が容易であり、供給のための運送など取り扱いが容易であり、モジュール化端子のみを別途にオプション部品として供給でき、使用者にとっても効率的である。
【００１６】
また、本発明による配線用遮断器のモジュール化端子及びこれを装着した配線用遮断器を提供することにより、１つの端子モジュールに多様なタイプの端子を組み合わせて構成できる配線用遮断器のモジュール化端子及びこれを装着した配線用遮断器が得られるので、端子部の接続環境に対応した柔軟なモジュール化端子及びこれを装着した配線用遮断器が得られるという効果がある。
【発明を実施するための最良の形態】
【００１７】
以下、添付図面を参照して本発明による実施形態について説明する。
図１は、本発明による配線用遮断器の多様なタイプのモジュール化端子及びこれを配線用遮断器に装着することを示す斜視図である。
【００１８】
本発明による配線用遮断器１の多様なタイプのモジュール化端子は、例えば、標準型端子モジュール４Ｍ、プラグイン型端子モジュール５Ｍ、及びボックス型端子モジュール６Ｍを含む。
【００１９】
配線用遮断器１は、配線用遮断器の主要部品、例えば、開閉機構、トリップ機構、消弧機構などを内蔵する下部ケース２と、下部ケース２の上部開口部を覆う上部カバー３とから構成される。
【００２０】
下部ケース２の長手方向の両端部、つまり、電源側線路接続部及び負荷側線路接続部には、内部の固定接触子（図示せず）に電気的に接続された３つ又は４つの固定接触子接続端子部ＴＬが備えられる。ここで、Ｒ、Ｓ、Ｔの３極（いわゆる、３相）用配線用遮断器の場合は、３つの固定接触子接続端子部ＴＬが備えられ、Ｒ、Ｓ、Ｔ、Ｎの4極（４相）用配線用遮断器の場合は、４つの固定接触子接続端子部ＴＬが備えられる。
【００２１】
本発明による標準型端子モジュール４Ｍ、プラグイン型端子モジュール５Ｍ、及びボックス型端子モジュール６Ｍは、図１に示すように、選択的に配線用遮断器１の前記端子部に接続するように装着することができる。
【００２２】
ここで、本発明によるモジュール化端子は、モジュール化構成であるので、従来のようにそれぞれの極別端子組立体を１つずつ装着するのでなく、前記３種類のタイプ別端子モジュールを電源側端子モジュール又は負荷側端子モジュールとして選択し、一括して簡便に装着できる。
【００２３】
一方、本発明によるそれぞれのモジュール化端子は、図２〜図４の最上部の左側に示すように、極別に備えられる複数の端子ベース４、５、６と、それぞれの前記端子ベースに着脱可能に支持される端子４０、５０、６０と、端子モジュールを形成するために隣接した一対の端子ベース４、５、６を結束するジョイント片７とから構成される。
【００２４】
図２〜図４の最上部の左側に示すように、それぞれの端子ベース４、５、６は、ジョイント片７の結束のためのジョイント片挿入スロット部４ｃ、５ｃ、６ｃをそれぞれ含む。
また、それぞれの端子ベース４、５、６は、ジョイント片挿入スロット部４ｃ、５ｃ、６ｃに隣接するように排気口を提供すると同時に、ジョイント片７の挿入を許容するための管型通路部４ｅ、５ｅ、６ｅをそれぞれ含む。
それぞれのタイプ別端子ベースの構成についての詳細な説明は後述する。
【００２５】
以下、図７を参照してジョイント片７の詳細構成について説明する。
ジョイント片７は、端子ベース４、５、６のジョイント片挿入スロット部４ｃ、５ｃ、６ｃに接続するためのチャネル部７ｃ１、７ｃ２、７ｃ３、７ｃ４を含む。
このチャネル部７ｃ１、７ｃ２、７ｃ３、７ｃ４は、胴部７ａの両側上部及び下部に合計４つ備えられることが好ましい。
【００２６】
チャネル部７ｃ１、７ｃ２、７ｃ３、７ｃ４は、胴部７ａの両側の上部面及び下部面上から胴部７ａの長手方向に沿って突出した突部７ｌ１〜７ｌ４及び７ｓ１〜７ｓ４と、胴部７ａの両側上部面及び下部面とによって形成される。
【００２７】
突部７ｌ１〜７ｌ４及び７ｓ１〜７ｓ４のうち端子ベース挿入突部７ｌ１〜７ｌ４は、モジュール化のために、図８、図９、図１０に示す端子ベース４、５、６の管型通路部４ｅ、５ｅ、６ｅ内に挿入される部分である。従って、隣接した端子ベース４、５、６間を強固に結束するために、端子ベース挿入突部７ｌ１〜７ｌ４は、ケース挿入突部７ｓ１〜７ｓ４より長く形成され、突出高さｄ１はケース挿入突部７ｓ１〜７ｓ４の突出高さｄ２より高く形成されることが好ましい。
【００２８】
端子ベース挿入突部７ｌ１〜７ｌ４は、胴部７ａの両側部の外壁面を形成するように位置し、ケース挿入突部７ｓ１〜７ｓ４は、胴部７ａの両側部の端子ベース挿入突部７ｌ１〜７ｌ４より内側に位置する。
【００２９】
図５から分かるように、ケース挿入突部７ｓ１〜７ｓ４は、ケースのうち下部ケース２の端子部に位置する相（極）別絶縁隔壁２ａ、より詳しくは、絶縁隔壁２ａの下部に形成したジョイント片挿入スロット部２ａ６内に挿入される。
【００３０】
より詳しくは、ケース挿入突部７ｓ１〜７ｓ４は、ジョイント片挿入スロット部２ａ６内のレール部２ａ３上にスライド挿入されてレール部２ａ３と結束される。
【００３１】
また、図７から分かるように、ジョイント片７は、隣接した一対の端子ベース４、５、６の結束を維持するための弾性力を有するように、胴部７ａの内側に１つの円弧溝壁７ａ１と円弧溝壁７ａ１の入口側に対向して延設される一対のチャネル溝壁７ａ２とを含む。
【００３２】
従って、端子ベース４、５、６、及びケースに結束するとき、一対のチャネル溝壁７ａ２間の間隔が広くなるか、狭くなると、元の状態に戻ろうとする弾性復元力が発生し、ジョイント片７を端子ベース４、５、６、及びケースに結束したとき、その結束力が確実に維持される。
【００３３】
以下、図８〜図１０を参照して多様なタイプの本発明による端子ベース４、５、６の詳細構成について説明する。
図８は、本発明による標準型端子ベースにおいて、ジョイント片と結束される相対部分の構成を示す標準型端子ベースの背面図であり、図９は、本発明によるプラグイン型端子ベースにおいて、ジョイント片と結束される相対部分の構成を示すプラグイン型端子ベースの背面図であり、図１０は、本発明によるボックス型端子ベースにおいて、ジョイント片と結束される相対部分の構成を示すボックス型端子ベースの背面図である。
【００３４】
以下、図８を参照して本発明による標準型端子ベースの構成について説明する。
本発明による標準型端子ベース４は、上部端子収容部４ａと、胴部４ｄと、底板部４ｆとから構成される。
上部端子収容部４ａは、上部面上に標準型端子４０を収容するために案内チャネル部（図示せず）を備え、上部端子収容部４ａと底板部４ｆは、胴部４ｄより側方に突出して面積が大きく構成される。
【００３５】
上部端子収容部４ａの両側壁部と底板部４ｆの両側壁部は、一体に連結されて側壁部４ｂを形成し、両側壁部４ｂの後端部には水平方向に形成されたジョイント片挿入スロット部４ｃがそれぞれ備えられる。
【００３６】
両側壁部４ｂと胴部４ｄ間の２個所にジョイント片挿入スロット部４ｃに隣接して管型通路部４ｅが水平方向に形成されることにより、配線用遮断器の遮断又はトリップ動作時に発生するアークガスの排気口を提供すると同時に、前記ジョイント片（図７の符号７を参照）の挿入を許容する。
図８の符号７は、ジョイント片であり、ジョイント片と端子ベース間の接続方法を強調するために示し、ジョイント片７の接続部分以外の部分は省略した。
【００３７】
以下、図９を参照して本発明によるプラグイン型端子ベースの構成について詳細に説明する。
図９に示すように、本発明によるプラグイン型端子ベース５は、上部端子収容部５ａと、胴部５ｄと、底板部５ｆと、プラグイン端子挿入管部５ｇとから構成される。
上部端子収容部５ａは、上部面上に固定接触子接続端子部（図１の符号ＴＬを参照）を収容するために空間部を提供する。
【００３８】
また、上部端子収容部５ａ内でプラグイン端子５０の上端部と固定接触子接続端子部（図１の符号ＴＬを参照）が接触して電気的に接続される。
また、上部端子収容部５ａ内で固定ネジ（図示せず）によりプラグイン端子５０の上端部と固定接触子接続端子部（図１の符号ＴＬを参照）との接触状態が固定的に維持される。
【００３９】
上部端子収容部５ａと底板部５ｆは、胴部５ｄより側方に突出して面積が大きく構成される。
上部端子収容部５ａの両側壁部と底板部５ｆの両側壁部は、一体に連結されて側壁部５ｂを形成し、両側壁部５ｂの後端部にはジョイント片挿入スロット部５ｃがそれぞれ水平方向に形成される。
【００４０】
両側壁部５ｂと胴部５ｄ間の２個所にジョイント片挿入スロット部５ｃと隣接して管型通路部５ｅが水平方向に形成されることにより、配線用遮断器の遮断又はトリップ動作時に発生するアークガスの排気口を提供すると同時に、前記ジョイント片（図７の符号７を参照）の挿入を許容する。
【００４１】
プラグイン端子挿入管部５ｇは、底板部５ｆの下方に延設された管型の部材であり、内周面（図示せず）がプラグイン端子５０の多角形上部形態（図３の最上部左側の符号５０の形態を参照）と一致する多角形状に形成されている。
【００４２】
以下、図１０を参照して本発明によるボックス型端子ベースの詳細構成について説明する。
本発明によるボックス型端子ベース６は、窓型上部枠６ａと、胴部６ｄと、底板部６ｆとから構成される。
窓型上部枠６ａは、電源側又は負荷側からの外部電線を引き込むことができるように窓型の垂直開口部を有する構成部である。
【００４３】
窓型上部枠６ａの下段部上にボックス型端子６０が装着される水平面部が備えられ（図４の最上部の左側）、窓型上部枠６ａと底板部６ｆは、胴部６ｄより側方に突出して面積が大きく構成される。
【００４４】
窓型上部枠６ａの前記下段の水平面部と底板部６ｆの両側壁部は、一体に連結されて側壁部６ｂを形成し、両側壁部６ｂの後端部にはジョイント片挿入スロット部６ｃがそれぞれ水平方向に形成される。
【００４５】
両側壁部６ｂと胴部６ｄ間の２個所にジョイント片挿入スロット部６ｃと隣接して管型通路部６ｅが水平方向に形成されることにより、配線用遮断器の遮断又はトリップ動作時に発生するアークガスの排気口を提供すると同時に、前記ジョイント片（図７の符号７を参照）の結束のための挿入を許容する。
【００４６】
以下、図５及び図６を参照して本発明によるケース及び本発明によるケースを有する配線用遮断器の構成について説明する。
図５は、本発明による配線用遮断器のケースにおいてジョイント片と結束される相対部分の構成を示す斜視図であり、円内は部分拡大図である。図６は、本発明による配線用遮断器のケースにおいてジョイント片と結束される相対部分の構成を示す正面上から見た図であり、円内は部分拡大図である。
【００４７】
図５及び図６に示すように、本発明による配線用遮断器１において、ケースは、下部ケース２と上部カバー３から構成され、下部ケース２は、それぞれの相（極）別端子部を電気的に絶縁するための複数の絶縁隔壁２ａを備える。
絶縁隔壁２ａのうち両外側絶縁隔壁２ａを除いた内側の絶縁隔壁２ａは、隣接した一対の固定接触子接続端子部ＴＬ間に一対ずつ備えられる。
【００４８】
より詳しくは、内側の絶縁隔壁２ａは、予め決定された間隔、つまり、ジョイント片７のケース挿入突部（図７の符号７ｓ１〜７ｓ４）の間隔（図７の符号７ｓ１−７ｓ２間の間隔及び符号７ｓ３−７ｓ４間の間隔）を考慮した間隔を置いて、一対が隣接して備えられる。
【００４９】
絶縁隔壁２ａの下部には、図７に示すジョイント片７が挿入されて絶縁隔壁２ａと結束されるジョイント片挿入スロット部２ａ６が備えられる。
ジョイント片挿入スロット部２ａ６を形成する一対の絶縁隔壁２ａの部分には、それぞれ上下部にレール部２ａ３が備えられる。本実施形態において、ジョイント片７のケース挿入突部（図７の符号７ｓ１〜７ｓ４）を案内支持するために、隣接した前記一対の絶縁隔壁２ａの下部に上下左右の合計４つのレール部２ａ３が備えられる。
【００５０】
符号２ａ１、２ａ２は、下部一対のレール部２ａ３を形成する下部左右レール壁部である。
無論、上部一対のレール部２ａ３を形成する上部左右レール壁部も存在し、上部一対のレール部２ａ３の上部延長壁部がそれに該当するが、符号は省略した。
また、下部左右レール壁部２ａ１、２ａ２と前記上部左右レール壁部にも、ジョイント片７のような構造のチャネル溝壁２ａ４と円弧溝壁２ａ５が備えられてジョイント片７との結束時に弾性復元力を発生し、結束を確実に維持する。
【００５１】
すなわち、ジョイント片７のケース挿入突部（図７の符号７ｓ１〜７ｓ４）をレール部２ａ３にスライド進入させることにより、下部左右レール壁部２ａ１、２ａ２間の間隔と前記上部左右レール壁部間との間隔が狭くなっても、両チャネル溝壁２ａ４と円弧溝壁２ａ５による弾性構造により両チャネル溝壁２ａ４が元の状態に広がり、ジョイント片７と絶縁隔壁２ａの下部左右レール壁部２ａ１、２ａ２、及び前記上部左右レール壁部間の結束が確実に維持される。
【００５２】
以下、図２〜図４を参照してタイプ別の本発明によるモジュール化端子及びこれを装着した本発明による配線用遮断器の構成と、タイプ別の本発明によるモジュール化端子の組立及び組み立てられたモジュール化端子を配線用遮断器に装着する動作について説明する。
図２は、本発明による標準型端子モジュールを組み立て、その組み立てられた標準型端子モジュールを配線用遮断器に組み立てる動作過程を示す組立状態図であり、図３は、本発明によるプラグイン型端子モジュールを組み立て、その組み立てられたプラグイン型端子モジュールを配線用遮断器に組み立てる動作過程を示す組立状態図であり、図４は、本発明によるボックス型端子モジュールを組み立て、その組み立てられたボックス型端子モジュールを配線用遮断器に組み立てる動作過程を示す組立状態図である。
【００５３】
まず、図２を参照して本発明による標準型端子モジュールを組み立て、その組み立てられた標準型端子モジュールを装着して本発明による配線用遮断器を完成する動作過程について説明する。
図２の最上部の左側に示すように、まず、標準型端子ベース４の上部に標準型端子４０を嵌めて組み立てる。ここで、該当配線用遮断器が３相（極）用である場合、３つの電源側標準型端子ベース及び３つの負荷側標準型端子ベースの合計６つの標準型端子ベース４の上部に標準型端子４０を嵌めて組み立てる。
【００５４】
組み立てようとする配線用遮断器が４相（極）用である場合、４つの電源側標準型端子ベースと４つの負荷側標準型端子ベースの合計８つの標準型端子ベース４と標準型端子４０を組み立てる。
【００５５】
次に、組み立てられた端子ベース４と標準型端子４０の中間組立体を電源側及び負荷側用に３つずつ集めて隣接した一対の前記中間組立体のジョイント片挿入スロット部４ｃ及び管型通路部４ｅにジョイント片７を挿入することにより、前記隣接した一対の前記中間組立体を結束すると、本発明による標準型端子モジュール４Ｍの組立が完了する。
このような標準型端子モジュール４Ｍを電源側端子用と負荷側端子用に２つ組み立て、図２の中央部に示すように、配線用遮断器１の両端子部側に押し込むと、図２の最下部に示すように、本発明による配線用遮断器１の組立が完了する。ここで、標準型端子モジュール４Ｍの標準型端子４０と配線用遮断器１の固定接触子接続端子部ＴＬが接触して通電可能な状態となる。
【００５６】
従って、極別に備えられる複数の標準型端子ベース４、それぞれの前記標準型端子ベース４に着脱可能に支持される標準型端子４０、端子モジュールを形成するために隣接した一対の標準型端子ベース４を結束するジョイント片７、及びジョイント片７により標準型端子モジュール４Ｍと結束されるケース、すなわち下部ケース２を含む本発明によるモジュール化端子を有する配線用遮断器１の組立が完成する。ここで、標準型端子４０を装着した複数の標準型端子ベース４がジョイント片７により結束されて標準型端子モジュール４Ｍが構成される。
【００５７】
組立が完了した配線用遮断器１は、前述した本発明によるモジュール化端子を装着しているので、図５及び図６を参照して前述したケース、すなわち、下部ケース２の特徴的構成、図７を参照して前述したジョイント片７の詳細な特徴的構成、及び図８を参照して説明した標準型端子ベース４の特徴的構成を有することは当然である。
【００５８】
次に、図３を参照して本発明によるプラグイン型端子モジュールを組み立て、その組み立てられたプラグイン型端子モジュールを装着して本発明による配線用遮断器を完成する動作過程について説明する。
【００５９】
図３の最上部に示すように、まず、プラグイン型端子ベース５の下部にプラグイン型端子５０を嵌めて組み立てる。ここで、該当配線用遮断器が３相（極）用である場合、３つの電源側プラグイン型端子ベースと３つの負荷側プラグイン型端子ベースの合計６つプラグイン型端子ベース５の下部にプラグイン型端子５０を嵌めて組み立てる。組み立てようとする配線用遮断器が４相（極）用である場合、４つの電源側プラグイン型端子ベース及び４つの負荷側プラグイン型端子ベースの合計８つのプラグイン型端子ベース５とプラグイン型端子５０を組み立てる。
【００６０】
次に、組み立てられた端子ベース５とプラグイン型端子５０の中間組立体を電源側及び負荷側用に３つずつ集めて隣接した一対の前記中間組立体のジョイント片挿入スロット部５ｃ及び管型通路部５ｅにジョイント片７を挿入して前記隣接した一対の前記中間組立体を結束すると、図３の最上部の右側に示すように、本発明によるプラグイン型端子モジュール５Ｍの組立が完了する。
【００６１】
このようなプラグイン型端子モジュール５Ｍを電源側端子用と負荷側端子用に２つ組み立て、図３の中央部に示すように、配線用遮断器１の両端子部側に押し込むと、図３の最下部に示すように、本発明による配線用遮断器１の組立が完了する。ここで、プラグイン型端子モジュール５Ｍのプラグイン型端子５０の上端部と配線用遮断器１の固定接触子接続端子部ＴＬが接触して通電可能な状態となる。
【００６２】
従って、極別に備えられる複数のプラグイン型端子ベース５、それぞれの前記端子ベース５に着脱可能に支持されるプラグイン型端子５０、端子モジュールを形成するために隣接した一対の前記プラグイン型端子ベース５を結束するジョイント片７、及び前記ジョイント片７によってプラグイン型端子モジュール５Ｍと結束されるケース、すなわち、下部ケース２を含む本発明によるモジュール化端子を有する配線用遮断器１の組立が完成する。ここで、前記プラグイン型端子５０を装着した複数のプラグイン型端子ベース５がジョイント片７により結束されてプラグイン型端子モジュール５Ｍが構成される。
【００６３】
組立が完了した配線用遮断器１は、前述した本発明によるモジュール化端子を装着しているので、図５及び図６を参照して前述したケース、すなわち、下部ケース２の特徴的構成、図７を参照して前述したジョイント片７の詳細な特徴的構成、及び図９を参照して説明したプラグイン型端子ベース５の特徴的構成を有することは当然である。
【００６４】
次に、図４を参照して本発明によるボックス型端子モジュールを組み立て、その組み立てられたボックス型端子モジュールを装着して本発明による配線用遮断器を完成する動作過程について説明する。
図４の最上部に示すように、まず、ボックス型端子ベース６にボックス型端子６０を嵌めて組み立てる。ここで、該当配線用遮断器が３相（極）用である場合、３つの電源側ボックス型端子ベース及び３つの負荷側ボックス型端子ベースの合計６つのボックス型端子ベース６にボックス型端子６０を嵌めて組み立てる。組み立てようとする配線用遮断器が４相（極）用である場合、４つの電源側ボックス型端子ベース及び４つの負荷側ボックス型端子ベースの合計８つのボックス型端子ベース６とボックス型端子６０を組み立てる。
【００６５】
次に、組み立てられたボックス型端子ベース６とボックス型端子６０の中間組立体を電源側及び負荷側用に３つずつ集めて隣接した一対の前記中間組立体のジョイント片挿入スロット部６ｃ及び管型通路部６ｅにジョイント片７を挿入して前記隣接した一対の前記中間組立体を結束すると、図４の最上部に示すように、本発明によるボックス型端子モジュール６Ｍの組立が完了する。
【００６６】
このようなボックス型端子モジュール６Ｍを電源側端子用と負荷側端子用に２つ組み立て、図４の中央部に示すように、配線用遮断器１の両端子部側に押し込むと、図４の最下部に示すように、本発明による配線用遮断器１の組立が完了する。ここで、ボックス型端子モジュール６Ｍのボックス型端子６０の底部と配線用遮断器１の固定接触子接続端子部ＴＬが接触して通電可能な状態となる。
【００６７】
従って、極別に備えられる複数のボックス型端子ベース６、それぞれのボックス型端子ベース６に着脱可能に支持されるボックス型端子６０、端子モジュールを形成するために隣接した一対の前記ボックス型端子ベース６を結束するジョイント片７、及び前記ジョイント片７によってボックス型端子モジュール６Ｍと結束されるケース、すなわち、下部ケース２を含む本発明によるモジュール化端子を有する配線用遮断器１の組立が完成する。ここで、前記ボックス型端子６０を装着した複数のボックス型端子ベース６がジョイント片７により結束されてボックス型端子モジュール６Ｍが構成される。
【００６８】
組立が完了した配線用遮断器１は、前述した本発明によるモジュール化端子を装着しているので、図５及び図６を参照して前述したケース、すなわち、下部ケース２の特徴的構成、図７を参照して前述したジョイント片７の詳細な特徴的構成、及び図１０を参照して説明したボックス型端子ベース５の特徴的構成を有することは当然である。
【００６９】
以下、図１１及び図１２を参照して多様なタイプの組み合わせの本発明によるモジュール化端子を本発明による配線用遮断器のケースに装着する動作について説明する。
図１１は、本発明による配線用遮断器のモジュール化端子の多様なタイプ別組み合わせができることを示す説明図であり、電源端子側にプラグイン型端子モジュールが装着され、負荷端子側にボックス型端子モジュールが装着される配線用遮断器の一例を示す組み合わせ構成例の組立斜視図である。
【００７０】
図示されたように、例えば、電源端子側、つまり、図１１の左側端子部側にプラグイン型端子モジュール５Ｍを装着し、負荷端子側、つまり、図１１の右側端子部側にボックス型端子モジュール６Ｍを装着すると、図１１の下部に示すように、左側の電源端子側は、プラグインベース（プラグイン端子（図示せず）が挿入される接続口が備えられた一種の端子台）に接続され、右側の負荷端子側は、例えば、「Ｕ」字状又は「リング」状端子部が備えられた負荷側電線に接続されなければならない環境に対応した配線用遮断器１の組立が完了する。
【００７１】
図１２は、本発明による配線用遮断器のモジュール化端子の多様なタイプ別組み合わせができることを示す説明図であり、標準型端子組立体、プラグイン型端子組立体、及びボックス型端子組立体を組み合わせたモジュールが電源端子及び負荷端子側にそれぞれ装着される配線用遮断器の一例を示す組み合わせ構成例の組立斜視図である。
図１２の最上部に示すように、標準型端子ベース４に標準型端子４０を組み立てた中間組立体と、ボックス型端子ベース６にボックス型端子６０を組み立てた中間組立体と、プラグイン型端子ベース５にプラグイン型端子５０を組み立てた中間組立体とをジョイント片７で互いに結束してモジュール化すると、図１２の中間部に示すような組み合わせモジュール４５６Ｍ１、４５６Ｍ２が構成される。
【００７２】
従って、図１２の中間部に示すように、組み合わせモジュール４５６Ｍ１、４５６Ｍ２を配線用遮断器１の電源側端子部及び負荷側端子部にそれぞれ押し込んで組み立てると、図１２の最下部に示すような組み合わせモジュール４５６Ｍ１、４５６Ｍ２が装着された配線用遮断器が構成される。
【図面の簡単な説明】
【００７３】
【図１】本発明による配線用遮断器の多様なタイプのモジュール化端子及びこれを配線用遮断器に装着することを示す斜視図である。
【図２】本発明による標準型端子モジュールを組み立て、その組み立てられた標準型端子モジュールを配線用遮断器に組み立てる動作過程を示す組立状態図である。
【図３】本発明によるプラグイン型端子モジュールを組み立て、その組み立てられたプラグイン型端子モジュールを配線用遮断器に組み立てる動作過程を示す組立状態図である。
【図４】本発明によるボックス型端子モジュールを組み立て、その組み立てられたボックス型端子モジュールを配線用遮断器に組み立てる動作過程を示す組立状態図である。
【図５】本発明による配線用遮断器のケースにおいて、ジョイント片と結束される相対部分の構成を示す斜視図であり、円内は部分拡大図である。
【図６】本発明による配線用遮断器のケースにおいて、ジョイント片と結束される相対部分の構成を示す正面上から見た図であり、円内は部分拡大図である。
【図７】本発明によるジョイント片の詳細構成を示す斜視図である。
【図８】本発明による標準型端子ベースにおいて、ジョイント片と結束される相対部分の構成を示す標準型端子ベースの背面図である。
【図９】本発明によるプラグイン型端子ベースにおいて、ジョイント片と結束される相対部分の構成を示すプラグイン型端子ベースの背面図である。
【図１０】本発明によるボックス型端子ベースにおいて、ジョイント片と結束される相対部分の構成を示すボックス型端子ベースの背面図である。
【図１１】本発明による配線用遮断器のモジュール化端子の多様なタイプ別組み合わせができることを示す説明図であり、電源端子側にプラグイン型端子モジュールが装着され、負荷端子側にボックス型端子モジュールが装着される配線用遮断器の一例を示す組み合わせ構成例の組立斜視図である。
【図１２】本発明による配線用遮断器のモジュール化端子の多様なタイプ別組み合わせができることを示す説明図であり、標準型端子組立体とプラグイン型端子組立体及びボックス型端子組立体を組み合わせたモジュールが電源端子及び負荷端子側にそれぞれ装着される配線用遮断器の一例を示す組み合わせ構成例の組立斜視図である。
【符号の説明】
【００７４】
１    配線用遮断器
４Ｍ    標準型端子モジュール
５Ｍ    プラグイン型端子モジュール
６Ｍ    ボックス型端子モジュール
４，５，６    端子ベース
４０，５０，６０    端子
７    ジョイント片
４ｃ，５ｃ，６ｃ    ジョイント片挿入スロット部
７ｃ１，７ｃ２，７ｃ３，７ｃ４    チャネル部
４ｅ，５ｅ，６ｅ    管型通路部
７ａ１    円弧溝壁
７ａ２    チャネル溝壁
【図１】
2008258132.tif 000003
【図２】
2008258132.tif 000004
【図３】
2008258132.tif 000005
【図４】
2008258132.tif 000006
【図５】
2008258132.tif 000007
【図６】
2008258132.tif 000008
【図７】
2008258132.tif 000009
【図８】
2008258132.tif 000010
【図９】
2008258132.tif 000011
【図１０】
2008258132.tif 000012
【図１１】
2008258132.tif 000013
【図１２】
2008258132.tif 000014